(57)【要約】【課題】複数の遊技機を設けた島内の火災を早期発見すると共に島単位での消火を可能とし、ホール火災の被害を最小限に食い止めることができる遊技機設置島を提供する。【解決手段】パチンコ機５等の遊技機が複数並列して設けられる遊技機設置島１内に、火災を感知する感知手段２８ａ，２８ｂと、前記感知手段２８ａ，２８ｂの感知信号により作動する消火手段３０，３８とを備え、島内で発生した火災を島内で消火するようにした。【選択図】　図２
2004105653.tif 000002
【特許請求の範囲】
【請求項１】
パチンコ機等の遊技機が複数並列して設けられる遊技機設置島内に、前記島内の火災を感知する感知手段と、前記感知手段の感知信号により作動する消火手段とを備えたことを特徴とする遊技機設置島。
【請求項２】
パチンコ機等の遊技機が複数並列して設けられる遊技機設置島内に、前記島内の火災を感知する感知手段と、前記感知手段の感知信号により火災を報知する報知手段と、前記感知手段の感知信号により作動する消火手段とを備えたことを特徴とする遊技機設置島。
【請求項３】
前記消火手段は、島内の空気を換気する通気口に電気的駆動源により開閉する開閉板を設け、前記感知手段の感知信号により前記電気的駆動源を可動して通気口を閉塞させ、前記遊技機設置島内を密閉状態とすることを特徴とする請求項１又は２記載の遊技機設置島。
【請求項４】
前記消火手段は、消火剤を充填した消火タンクと、前記感知手段の感知信号により前記消火タンクを開放する電気的駆動源を備えた作動部と、前記消火タンクから分岐され前記消火剤を噴出する複数の放出口とで構成されたことを特徴する請求項１又は２記載の遊技機設置島。
【請求項５】
パチンコ球等の遊技媒体を補給する補給樋に前記消火手段の放出口を設けたことを特徴する請求項４記載の遊技機設置島。
【請求項６】
前記遊技機から排出されるパチンコ球等の遊技媒体を回収する回収樋に前記消火手段の放出口を設けたことを特徴する請求項４又は５記載の遊技機設置島。
【請求項７】
パチンコ球等の遊技媒体を補給する補給樋に前記感知手段を設けたことを特徴する請求項１乃至６のいずれかに記載の遊技機設置島。
【請求項８】
前記遊技機から排出されるパチンコ球等の遊技媒体を回収する回収樋に前記感知手段を設けたことを特徴する請求項１乃至７のいずれかに記載の遊技機設置島。
【発明の詳細な説明】
【０００１】
【発明の属する技術分野】
本発明は、パチンコ機等の遊技機が複数台並設された遊技機設置島に関するものであり、特に遊技機設置島で発生した火災を島単位で消火するようにした遊技機設置島に関するものである。
【０００２】
【従来の技術】
近年、複数のパチンコ機設置島を備えたパチンコホールの火災が相次いで発生して、大きな問題となっている。その火災の原因は、パチンコ機設置島内に設けられる球磨揚送機及びパチンコ機等の設備機器の漏電及びショートによる出火、さらには遊技客の嫌がらせによる放火等により火災が発生している。また、ホールの多くは消火設備として天井に火災感知器を備え、スプリンクラー及び消火器を備えている。
【０００３】
ところが、前記火災感知器が天井に設けられていることから、火災を感知した時点ではすでに初期消火が難しい状態となっている。そこで、これらの火災を逸早く対処するために、島単位またはパチンコ機毎に火災感知器を設けて初期消火に対応するものが知られている（例えば、特許文献１及び特許文献２参照。）。
【０００４】
【特許文献１】
特開昭５４−１１４９９９号公報
【特許文献２】
特開平８−１２６７５９号公報
【０００５】
【発明が解決しようとする課題】
しかし、上記公報のものは、確かにパチンコ機及び島単位で火災の感知はできるものの、それに対応する消火に関しては何等触れられておらず、営業中においては従業員が消火器等により早期消火することも可能であるが、ホールの従業員はアルバイト等の臨時雇用社員が多く、緊急時の対応等の教育訓練が行き届かないのが現状である。また、火災時には消火活動よりも遊技客の避難誘導が最優先となり火災が拡大するおそれがある。一方営業終了後の火災においては、折角パチンコ機及び島単位での火災を感知器が感知しても、従来通りスプリンクラーが作動すると天井からの放水によりホール全体が水浸しになり、ホール全てのパチンコ機が使用できなくなるという問題がある。
【０００６】
そこで本発明は、従来技術の有するこのような問題点に鑑みてなされたものであり、その目的とするところは、上記複数の遊技機を設けた島内の火災を早期発見すると共に島単位での消火を可能とし、ホール火災の被害を最小限に食い止めることができる遊技機設置島を提供しようとするものである。
【０００７】
【課題を解決するための手段】
上記目的を達成するために、請求項１記載の発明は、パチンコ機等の遊技機が複数並列して設けられる遊技機設置島内に、前記島内の火災を感知する感知手段と、前記感知手段の感知信号により作動する消火手段とを備えたことを特徴とする。ここでいう「感知手段」とは、火災の煙，熱，炎を感知する煙感知センサ，温度感知センサ，赤外線感知センサ等を示す。
【０００８】
請求項２記載の発明は、パチンコ機等の遊技機が複数並列して設けられる遊技機設置島内に、前記島内の火災を感知する感知手段と、前記感知手段の感知信号により火災を報知する報知手段と、前記感知手段の感知信号により作動する消火手段とを備えたことを特徴とする。ここでいう「報知手段」とは、スピーカからの音声放送，ベル等により聴覚に訴える報知と、パトライト等の点滅，表示装置への表示等により視覚に訴える報知とを含む。
【０００９】
請求項３記載の発明は、請求項１又は２記載の発明において、前記消火手段は、島内の空気を換気する通気口に電気的駆動源により開閉する開閉板を設け、前記感知手段の感知信号により前記電気的駆動源を可動して通気口を閉塞させ、前記遊技機設置島内を密閉状態とすることを特徴とする。密閉状態とすることにより、島内の酸素濃度を下げて鎮火することができる。
【００１０】
請求項４記載の発明は、請求項１又は２記載の発明において、前記消火手段は、消火剤を充填した消火タンクと、前記感知手段の感知信号により前記消火タンクを開放する電気的駆動源を備えた作動部と、前記消火タンクから分岐され前記消火剤を噴出する複数の放出口とで構成されたことを特徴する。ここでいう「消火剤」とは、消火ガス，消火泡，消火粉末等消火のために噴射されるものを示す。また、消火ガスは抑制窒息作用を主とする二酸化炭素ガス，窒素ガス等が好ましい。
【００１１】
請求項５記載の発明は、請求項４記載の発明において、パチンコ球等の遊技媒体を補給する補給樋に前記消火手段の放出口を設けたことを特徴する。ここでいう「遊技媒体」とは、パチンコ球の他にコイン，メダルを含む。
【００１２】
請求項６記載の発明は、請求項４又は５記載の発明において、前記遊技機から排出されるパチンコ球等の遊技媒体を回収する回収樋に前記消火手段の放出口を設けたことを特徴する。
【００１３】
請求項７記載の発明は、請求項１乃至６のいずれかに記載の発明において、パチンコ球等の遊技媒体を補給する補給樋に前記感知手段を設けたことを特徴する。
【００１４】
請求項８記載の発明は、請求項１乃至７のいずれかに記載の発明において、前記遊技機から排出されるパチンコ球等の遊技媒体を回収する回収樋に前記感知手段を設けたことを特徴する。
【００１５】
前記感知手段及び前記消火手段の放出口を、パチンコ機設置島の長手方向に配設される補給樋または回収樋に設けることで、わざわざ感知手段及び消火手段の放出口を設けるための枠組を設ける必要がなく、しかも補給樋または回収樋が島内のほぼ中央位置に設けられていることから、感知手段及び消火手段の放出口を効率のよい最適位置に設けることができる。
【００１６】
また、前記感知手段及び前記消火手段の放出口は、補給樋及び回収樋に設けるように多階層に設けるのが好ましい。特に、島内は全体に配線等が複雑に入組んでおり、前記感知手段及び前記消火手段の放出口を多階層に設けることにより、早期消火が可能となる。
【００１７】
前記遊技機設置島の遊技機の上部には、遊技媒体を補給する補給樋に対応位置して幕板が開閉自在に設けられ、該幕板を前記感知手段の感知信号により駆動する電気的駆動源を備えた施錠装置により施錠し得るようにするのが好ましい。火災時に従業員が無用に幕板を開放しないようにして、バックファイア現象を起したり有毒ガスを吸引したりしないようにするのがよい。
【００１８】
遊技機の外枠に開閉自在に装着される前面枠を、後面側で電気的駆動源により施錠するようにするのが好ましい。火災時に前記感知手段の感知信号により駆動して従業員が無用に前面枠を開放しないようにするのがよい。
【００１９】
なお、本願発明の遊技機設置島は、パチンコ機を複数並設したパチンコ機設置島であっても、コインを遊技媒体とするスロットマシンを複数並設した遊技機設置島であってもよい。また、パチンコ機とスロットマシンが混在する遊技機設置島であってもよい。
【００２０】
【発明の実施の形態】
次に図面と共に本発明の実施の形態を説明する。図１は本発明に係る遊技機設置島としてのパチンコ機設置島の正面図、図２は図１の中央断面図、図３はその要部拡大断面図、図４は図１の側断面図である。パチンコ機設置島１は、角パイプ状の前後一対の柱体２，２を複数の横連結部材３を介して平行に連結して構成された支柱４に、パチンコ機５が背合せ状態で戴置されるカウンター６が横設され、該カウンター６の下方に腰板７を張設している。そして、パチンコ機５の上方に呼出ランプ８を設けた飾り板９を介して、フレーム１０に止着した蝶番１１により複数の幕板１２がヒンジされ、営業時間中は球詰り等を点検するために図４鎖線に示すように必要に応じ前方に開放可能となるようにしている。さらに、両側のパネル壁１３ａ，１３ｂと天井部を閉鎖するドーム状の天板１４により、パチンコ機設置島１内が密閉状態となるようにしている。
【００２１】
パチンコ機設置島１には球磨揚送機１５が設けられ、前記パネル壁１３ａに設けられた球計数器１６により計数された遊技者のパチンコ球及びパチンコ機５からのアウト球を回収樋１７により回収し、該球磨揚送機１５で磨かれたパチンコ球を、パチンコ機設置島１の上部に傾斜して横設される断面凹形の補給樋１８を介して各パチンコ機５に補給するようにしている。なお、前記球磨揚送機１５は必ずしもパチンコ機設置島１に設けなければならないものではなく、他のパチンコ機設置島１から研磨されたパチンコ球を補給樋１８により供給するようにしてもよい。
【００２２】
前記パチンコ機５は、機枠２０の前面に前面枠２１が開閉自在に装着され、該前面枠２１の前面に遊技盤２２が視認可能なガラス扉枠２３が設けられ、その下方に打球供給皿２４及び該打球供給皿２４の余剰球を貯留する余剰球受皿２５が設けられ、その側方に打球の強さを調節する操作ハンドル２６が設けられている。
【００２３】
前記パチンコ機設置島１の内部上下に位置して火災を感知する感知手段としての煙感知センサ２８ａ及び熱感知センサ２８ｂを付設している。本実施の形態において、煙感知センサ２８ａ及び熱感知センサ２８ｂは、前記回収樋１７及び補給樋１８の下面にパチンコ機２〜３台毎に設けられている。なお、感知手段の付設個所及び設置個数は限定されるものではなく、天板１４に設けても遊技客の悪戯によって放火されたり配線のショートやモータが過熱したりして発火しやすいパチンコ機５に設けるようにしてもよい。好ましくは、実施の形態で示した回収樋１７及び補給樋１８のように、上下複数の階層に亘って設けて初期火災をより早期に感知するようにするのがよい。また、実施の形態において感知手段として煙感知センサ２８ａ及び熱感知センサ２８ｂを設けるようにしたが、感知手段は赤外線感知センサであってもよく、また煙感知センサ２８ａ，熱感知センサ２８ｂ及び赤外線感知センサのいずれかを設けるようにしてもよい。
【００２４】
前記球計数機１６を設けたパネル壁１３ａと相対するパネル壁１３ｂ側には、図３に示すように消火手段としての消火タンク３０及び報知手段としてランプ３１及びスピーカ３２を備えた警報機３３が設けられている。前記消火タンク３０には、火災が発生した遊技機設置島１内の酸素濃度を下げて消火する消火剤としての二酸化炭素または窒素ガス等の消火ガスが充填されている。前記消火タンク３０に電気的駆動源としてのソレノイドを組み込んだ作動部３５を介して導管３６が接続され、該導管３６は分岐して前記回収樋１７及び補給樋１８の下面に沿って配管される。そして、その導管３６の適宜個所（本実施の形態においてパチンコ機２〜３台毎）に放出口３８が設けられる。特に回収樋１７の下面に設けられた放出口３８は、回収樋１７の下方に配設される配線等の火災に対して特に効果的である。前記回収樋１７及び補給樋１８に配設された放出口３８は、配設位置が互いに交互位置となるようにするのが好ましい。なお、前記放出口３８は前記回収樋１７及び補給樋１８にノズル状に一体に成形してもよい。また、前記消火タンク３０には、消火剤として泡または粉末状の消火薬剤を充填するようにしてもよい。このとき前記消火タンク３０は炭酸ガスボンベと消火薬剤室とで構成するのがよい。また、前記消火タンク３０に加圧した水を充填しても、直接水道管を配管するようにしてもよい。
【００２５】
上記したように、前記煙感知センサ２８ａ及び熱感知センサ２８ｂ等の感知手段及び前記消火手段の放出口３８を、パチンコ機設置島１の長手方向に配設される回収樋１７または補給樋１８に設けることで、前記感知手段及び消火手段の放出口３８を設けるためにわざわざ枠組を設ける必要がなく、しかも回収樋１７または補給樋１８がパチンコ機設置島１内のほぼ中央位置に設けられていることから、感知手段及び消火手段の放出口３８を効率のよい最適位置に設けることができる。
【００２６】
前記腰板７及び天板１４には、図５乃至図８に示すようにパチンコ機５及び球磨き装置１５からの放熱を換気する通気口４０，４１が設けられ、それぞれの通気口４０，４１は電気的駆動源により可動する開閉板により開閉するようにしている。具体的には、腰板７の通気口４０には、図５及び図６に示すように枠体４２に開閉板としての複数枚のシャッター板４３，４３を、閉鎖時に隣接するシャッター板４３，４３の一部が互いに重合するように軸支４４して、一端を連結板４５で連結してシャッター板４３，４３が連動して開閉するようにしている。そして、前記連結板４５に形成されたラック部４６に電気的駆動源としてのモータ４７に固着した歯車４８を噛合させている。シャッター板４３が閉鎖した状態で前記モータ４７を駆動すると、図６鎖線に示すように歯車４８に噛合したラック部４６により連結板４５が下動し、シャッター板４３が支軸４４を支点に回動し通気口４０が開放される。また、通気口４０を閉塞するにはモータ４７を逆回転させ、歯車４８及びラック部４６を介して連結板４５が上動して、シャッター板４３が支軸４４を支点に回動し通気口４０を閉塞する。なお、枠体４２の内周及び前記シャッター板４３の重合部に密閉性を確実とするために、ウレタン，軟質ゴム等を設けるのが好ましく、通気口４０の閉鎖時に発生する衝撃音も解消されることになる。
【００２７】
一方、天板１４の通気口４１は、図７及び図８に示すように天板１４に複数の通孔５０を開設することにより形成されており、該通気口４１を開閉する開閉板５１がガイド溝５２によって摺動自在に設けられている。前記開閉板５１は、前記通孔５０と合致する開口５３が開設されており、その近傍を前記通孔５０を閉塞する板状部５４としている。また、前記開閉板５１を可動する電気的駆動源としての開閉モータ５５が天板１４に取着され、該開閉モータ５５の歯車５６と開閉板５１の側端に形成されたラック部５７とを噛合することで、前記モータ５５の駆動により前記通気口４１を開閉させることができる。常態では開閉板５１は、前記開口５３と前記通孔５０が合致して通気口４１を開放している。そして、開閉モータ５５が駆動して歯車５６とラック部５７の噛合により、図８に示すように開閉板５１が摺動して、板状部５４が通孔５０を閉鎖して通気口４１が閉塞される。このように構成することにより、開閉板５１の僅かな動きにより通気口４１を開閉させることができ、開閉時間も大幅に短縮させることができる。
【００２８】
前記幕板１２は、図４及び図９に示すように各幕板１２の内面に鉤形の係合部６０を固着し、前記支柱１０上に固着されたベアリング内蔵型の軸受６１によって、パチンコ機設置島１の長手方向と平行となるように支持されている回転軸６２にビス６３によって定間隔で設けられた錠金具６４により、各幕板１２を同時に開放不能にロックまたはロック解除できるようにしている。前記回転軸６２は、一端にプーリ６５を設け、該プーリ６５に巻装するベルト６６を介して電気的駆動源としての正逆回転モータ６７に装着したプーリ７２と連繋している。そして、前記正逆回転モータ６７により回転軸６２を正逆回動させことで、前記錠金具６４が幕板１２の係合部６０に係脱して、同時に複数の幕板１２をロックまたは解除することができる。なお、この回転軸６２は軸受６１，６１中に螺子軸６８を貫挿し、該螺子軸６８の両端にナット部材６９，６９を螺合し、該ナット部材６９，６９に角棒７０をビス７１を介して連結してなり、該ナット部材６９，６９の螺合を調節することにより各軸受６１間の寸法調整を行い易くしている。
【００２９】
また、前記パチンコ機５は、前面枠２１を施錠装置７３により電気的に施錠するようにしている。前記施錠装置７３は、図１０及び図１１に示すように、前面枠２１の裏面に係合片７４を突設し、該係合片７４に係合し得るロックバー７５を機枠２０に設けると共に、モータ７６等の電気的駆動源と前記ロックバー７５とをプッシュプルワイヤ７７等の連係手段により連係し、前記電気的駆動源７６を作動させてプッシュプルワイヤ７７を押し、前記ロックバー７５を係合片７４に係合させることにより前面枠２１を前方に開放できなくなるようにしている。また、前面枠２１を開放可能とするには、モータ７６を駆動してプッシュプルワイヤ７７を引いてロックバー７５と係合片７４の係合を解除すればよい。図２に示すようにパチンコ機５毎に電気的駆動源７６を設けることなく、各台に設けたロックバー７５に一端を連結したプッシュプルワイヤ７７の他端を複数台まとめて電気的駆動源７６のレバー７８に連結するようにして、パチンコ機５を複数台同時にロックまたはロック解除し得るようにしてもよい。なお、前記ロックバー７５は必ずしも機枠２０に設けることはなく、パチンコ機設置島１側のカウンター６に設けるようにしてもよい。また、前記施錠装置７３は、上記実施の形態に限定されるものではなく、電気的駆動源により前面枠２１を施錠するものであればよい。
【００３０】
このように、幕板１２及び前面枠２１を電気的駆動源６７，７６の駆動により施錠することで、火災時に確実にパチンコ機設置島１内を密閉状態にすることができる。そして、従業員が内部を確認しようとしても幕板１２または前面枠２１を無用に開放することができず、従業員が有毒ガスを吸い込んだり折角パチンコ機設置島１内が密閉状態になっているのに空気が流入してバックファイア現象を起したりすることを防止することができる。
【００３１】
上記構成のパチンコ機設置島１では、前記通気口４０，４１を開閉するモータ４７，５５及び幕板１２，前面枠２１を施錠するモータ６７，７６、さらに煙感知センサ２８ａ及び熱感知センサ２８ｂ等の火災感知手段，警報機３３，消火タンク３０の作動部３５のソレノイドは制御盤に接続されており、すべて制御盤によって制御される。なお、従業員により強制的に消火タンク３０の作動部３５を作動して消火操作できる非常釦を設けるようにしてもよい。
【００３２】
上記パチンコ機設置島１内で火災が発生すると、前記煙感知センサ２８ａまたは熱感知センサ２８ｂがこれを感知し、火災発生信号を制御盤に送信する。そして、制御盤はその信号により火災と判断して、警報機３３のスピーカ３２から遊技客に避難を促す放送またはランプ３１を点滅させる等の警報を発すると共に、熱換気のために開放していた通気口４０，４１を閉鎖するモータ４７，５５を作動させパチンコ機設置島１内を密閉状態として外気の流入を絶つ。さらに、幕板１２を施錠するモータ６７及び前面枠２１を施錠するモータ７６を駆動して幕板１２及び前面枠２１が開放しないようにロックする。この状態でパチンコ機設置島１内の酸素濃度が下がる（１２％以下）と、燃焼に必要な酸素が不足して鎮火されることから、通気口４０，４１を閉鎖してパチンコ機設置島１内を密閉状態とすることも消火手段の一つとなる。また、より速く鎮火させるために、作動部３５のソレノイドを作動させて、放出口３８から消火タンク３０の消火ガスを火災が発生したパチンコ機設置島１内へ勢いよく放出させて消火活動を実施する。すると、パチンコ機設置島１内には消火ガスが充満して酸素濃度が急激に下がることにより速やかに消火され、他のパチンコ機設置島１に類焼することもなく、被害を最小限に食い止めることができる。さらに、泡または粉末消火剤及び水を使用しないことにより、消火後の事後処理も容易にすることができる。
【００３３】
また、消火剤の異なった消火タンク３０を複数設けると共に制御盤に火災の種別（電気的火災または通常火災）を判定する判定回路を設けて、前記煙感知センサ２８ａまたは熱感知センサ２８ｂからの火災発生信号を前記制御盤にて火災の種別を判定し、その火災原因に応じた消火タンク３０の作動部３５を作動させるようにしてもよい。
【００３４】
なお、実施の形態において、前記煙感知センサ２８ａまたは熱感知センサ２８ｂと放出口３８とを別途設けるようにしたが、放出口３８に前記煙感知センサ２８ａまたは熱感知センサ２８ｂを組付けるようにしてもよい。
【００３５】
また、パチンコ機設置島１に内部を映し出すカメラを常設するのが好ましく、前記火災感知手段２８ａ，２８ｂの感知により作動するようにしてパチンコ機設置島１の内部を映し出すようにしてもよい。このように、カメラでパチンコ機設置島１の内部を映し出すことにより、内部状況が把握でき無用に幕板１２または前面枠２１を開放して有毒ガスを吸い込んだり、空気の流入によるバックファイア現象を起したりすることもなく、しかも鎮火状況を確認することもできる。また、内部状況が視認できるため、場合によっては前記した非常釦の操作により強制的に消火作業をすることができる。さらに、ビデオで録画することにより火災の原因を把握することができ、防火対策に役立てることができる。
【００３６】
また、ホールの営業中にあっては、前記パチンコ機設置島１毎の感知手段２８ａ，２８ｂの情報を一元的に管理し、前記感知手段２８ａ，２８ｂにより検知された火災情報に基づいて、該情報を従業員にインターコムを通じて報知すると共に、ホールにおいて避難経路を自動表示し遊技客に避難誘導放送を行うのが好ましい。
【００３７】
なお、実施の形態において、遊技機設置島としてパチンコ機を複数並設したパチンコ機設置島１として説明したが、コインを遊技媒体とするスロットマシンを複数並設した遊技機設置島であってもよい。また、パチンコ機とスロットマシンが混在する遊技機設置島であってもよいのはいうまでもない。
【００３８】
【発明の効果】
このように本発明では、遊技機設置島内に火災を感知する感知手段と、前記感知手段の感知信号により作動する消火手段とを設けることにより、遊技機設置島内で発生した火災をその島内で鎮火するようにしたので、火災を最小限に食い止めることができる。
【図面の簡単な説明】
【図１】本発明に係るパチンコ機島台の正面図である。
【図２】図１のパチンコ機島台の内部を示す中央断面図である。
【図３】図２の要部拡大断面図である。
【図４】図１のパチンコ機島台の側断面図である。
【図５】腰板の通気口部分の裏面図である。
【図６】腰板の通気口の開閉動作を示す断面図である。
【図７】天板の通気口から開閉板を外して示す斜視図である。
【図８】天板の通気口の開閉動作を示す正面図である。
【図９】幕板ロック装置の要部の斜視図である。
【図１０】前面枠の施錠装置の作用を示す断面図である。
【図１１】図１０の電気的駆動源部を示す断面図である。
【符号の説明】
１　　　　　　パチンコ機設置島（遊技機設置島）
５　　　　　　パチンコ機（遊技機）
１２　　　　　幕板
１７　　　　　回収樋
１８　　　　　補給樋
２８ａ　　　　煙感知センサ（感知手段）
２８ｂ　　　　熱感知センサ（感知手段）
３０　　　　　消火タンク（消火手段）
３３　　　　　警報機（報知手段）
３５　　　　　作動部
３６　　　　　導管
３８　　　　　放出口（消火手段）
４０　　　　　通気口
４１　　　　　通気口
４３　　　　　シャッター板（開閉板）
４７　　　　　モータ（電気的駆動源）
５１　　　　　開閉板
５５　　　　　モータ（電気的駆動源）
【図１】
2004105653.tif 000003
【図２】
2004105653.tif 000004
【図３】
2004105653.tif 000005
【図４】
2004105653.tif 000006
【図５】
2004105653.tif 000007
【図６】
2004105653.tif 000008
【図７】
2004105653.tif 000009
【図８】
2004105653.tif 000010
【図９】
2004105653.tif 000011
【図１０】
2004105653.tif 000012
【図１１】
2004105653.tif 000013